(57)【特許請求の範囲】
【請求項１】
糸屑吸引装置に負圧を発生させる換気モ−タ（１４）の回転数変更によって紡績機の糸屑吸引装置における吸引通風を制御する方法において、紡績機の始動の際に換気モ−タが一定に設定された範囲内にある基準回転数により調整可能な負圧（Ｓ）が達成されるように切り換えられ、その後に換気モ−タの回転数は選択可能な負圧（Ｕ）が達成されて保持されるように制御され、換気モ−タは検出された負圧が設定の限界値を超過するか、或いは下回るならば、基準回転数に切り換えて、そして選択された負圧が再び達成されるならば、制御手段が再び作動されて、負圧の急な上昇と降下の際にも換気モ−タが基準回転数で始動され得ることを特徴とする方法。
【請求項２】
基準回転数が所定時間存在するならば、誤差信号を惹起することを特徴とする前記請求項１に記載の方法。
【請求項３】
基準回転数が存在する設定時間が調整できることを特徴とする請求項２に記載の方法。
【請求項４】
紡績機（１）における糸屑吸引装置（１０）の換気モ−タ（１４）の回転数変更によって吸引通風を制御する装置において、換気モ−タ（１４）と接続された制御装置（２０）を備え、設定基準回転数にて負圧（Ｓ）を達成し、調整された負圧（Ｕ）で回転数を制御することを特徴とする装置。
【請求項５】
制御装置（２０）は糸屑吸引装置（１０）の負圧（Ｕ）を検出するセンサ−（２２）と信号装置（２４）と接続していることを特徴とする請求項４に記載の装置。
【発明の詳細な説明】
【０００１】
【発明の属する技術分野】
この発明は紡績機の糸屑吸引装置における換気モ−タの回転数変更によって吸引通風を制御する方法或いは装置に関する。この発明は特に精紡機や練紡機（フライヤ−）に設置する為に設けられている。
【０００２】
【従来の技術】
先行技術には、既に、糸屑吸引装置における負圧が換気モ−タの回転数変更によって調整された値に制御される装置が属している（米国特許第４７５３６６５号明細書）。この公知の装置は、実際に、例えば導管の閉塞の際に否定的影響に全く反応しないか、或いは不十分にしか反応しない。
【０００３】
【発明の解決すべき課題】
従って、この発明の課題は、実質的に柔軟に実際に生じる誤差原因に反応する前記種類の方法或いは装置を提供することである。
【０００４】
【課題を解決するための手段】
この課題は、この発明によると、糸屑吸引装置に負圧を発生させる換気モ−タの回転数変更によって紡績機の糸屑吸引装置における吸引通風を制御する方法において、紡績機の始動の際に換気モ−タが一定に設定された範囲内にある基準回転数により調整可能な負圧（Ｓ）が達成されるように切り換えられ、その後に換気モ−タの回転数は選択可能な負圧（Ｕ）が達成されて保持されるように制御され、換気モ−タは検出された負圧が設定の限界値を超過するか、或いは下回るならば、基準回転数に切り換えて、そして選択された負圧が再び達成されるならば、制御手段が再び作動されて、負圧の急な上昇と降下の際にも換気モ−タが基準回転数で始動され得ることにより、解決される。
【０００５】
更に、この発明によると、通常範囲にある正常負圧が達成される換気モ−タの基準回転数を一定に設定されることが意図されている。この負圧が達成される場合にのみに、制御手段が作動されて、この制御手段は換気モ−タの回転数を制御するので、所望の調整可能な負圧が達成されて保持される。
【０００６】
センサ−にて検出された負圧が制御可能な限界値をかなりの程度に超過されるか或いは下回る場合に、この設定基準回転数に切り換えられる。これは、例えば降下の察知する濾過室の開放の際、負圧を検出するセンサ−の欠損の際、吸引導管の詰まりの際或いは同様な誤差原因の場合である。前記センサ−が再び訂正負圧を検知する場合には、制御手段が再び作動される。換気モ−タの基準回転数が長い調整可能な時間に存在するならば、誤差或いは損傷が与えられることから由来して、誤差信号が音響的且つ光学的に発生される。
【０００７】
この発明によると、換気モ−タの基準回転数が負圧の急な上昇と降下の際にも作動され得る可能性が発生する。
【０００８】
好ましい実施態様が従属請求項から明らかになる。
【０００９】
換気モ−タの回転数変更によって吸引通風を制御する装置は、設定基準回転数に負圧を達成させるために換気モ−タと接続された制御装置を有し、この際に調整された負圧への制御が行われる。
【００１０】
【実施の形態】
この発明は、次に精紡機に関する図面に図示された実施例に基づいて詳細に説明される。図面では、図１は糸屑吸引装置を概略的に図示し、図２は図１に図示された装置の方法線図を示す。
【００１１】
図１には、多数の出口上ロ−ラ２．１或いは出口下ロ−ラ２．２が伸長機構をもつ精紡機にて概略的に図示される。この出口下ロ−ラ２．２の下部には吸引パイプ４があり、この吸引パイプは糸屑吸引装置の一部である。この吸引装置１０は濾過板１８を備える濾過箱１６、送風器１２並びに換気モ−タ１４を有する。換気モ−タ１４は制御装置２０と、少なくとも一個のセンサ−２２と光学的及び／又は音響的に作用する信号装置２４と接続している。
【００１２】
この発明の装置によって、図２に図示された線図が生じ、時間軸線ｔには負圧の大きさが図示されている。精紡機１の始動後に換気モ−タ１４が制御装置２０を介して制御されていない回転数で運転され、その回転数は一般に機能対応された基準負圧Ｓを発生させる。短時間間隔Ｔの経過後にセンサ−２２によりこの負圧が達成されることが確認される場合には、吸引装置１０が整えられ、制御装置２０が制御手段に切り換えられることに由来する。制御手段によって換気モ−タ１４が回転数を制御されて、それによって選定可能な負圧Ｕが達成される。図示された例ではこの選定された負圧Ｕが基準負圧Ｓより高いけれども、この負圧はより低くし得る。
【００１３】
センサ−２２により精紡機１の運転中に明らかに降下する負圧Ｕ’が検知される（範囲Ｉ）場合には、制御手段が換気モ−タ１４の回転数を強く高めるか或いは負圧上昇の際に減少させる。降下する負圧Ｕ’が例えばセンサ−２２の欠損によって騙される場合には、実際に作用する負圧が矢印Ｆによって強く上昇され、糸欠陥、糸屑などを案内する。しかし、負圧Ｕ’の降下が濾過箱１６の開放によって集積された材料を察知する原因とされる場合には、濾過箱１６の閉鎖後に、制御手段が負圧と再び適応するまで、負圧の衝撃的上昇が生じる。
【００１４】
作用する負圧のこの種の相違を避けるために、制御装置２０はそのような場合に制御手段に切り換えられ、換気モ−タ１４を基準回転数にする。それにより少なくとも、再び基準負圧Ｓを構成して保持し、それで少なくとも糸屑吸引装置１０の吸引通風に関して機械を運転可能な状態のままにしておくことを試みられる。圧力降下が糸屑吸引装置の吸引導管の詰まりによって惹起される場合に、これは基準吸引通風によって可能である。
【００１５】
センサ−２２が再び吸引通風Ｓの作用を検知する（範囲Ｉ）場合は、制御装置２０が短い時間後に再び制御手段に切り換えられ、それ故に選定された負圧Ｕが達成される（範囲ＩＩ）。これはそうでない場合であり、換気モ−タ１４が長時間にわたり基準回転数により運転される（範囲ＩＩＩ）場合には、残りの誤差機能が存在することに由来される。これに関して制御装置２０が信号装置２４のスイッチ入れによって気付かれ、それでこの誤差に追従されて、この誤差が除去され得る。
【００１６】
センサ−２２が負圧を検知しない場合には、糸屑吸引装置１０の吸引導管の詰まりが存在することが確実に予想されるにちがいない。これは吸引されない繊維糸によってロ−ラ巻上軸や機械障害を導くから、この場合に時間間隔が信号装置のスイッチ入れまで極めて短く選定するか或いは精紡機１を一般に休止する。
【００１７】
この発明の装置によって、精紡機が制御手段の故障の際にも運転可能なままであることが達成される。初めに換気モ−タ１４の基準回転数による始動は、制御手段が制御装置２０を介して正常な吸引装置１０においてのみ、例えば濾過箱１６のドアの閉鎖の際に作動されると言う目的を有する。
【００１８】
この発明によると、換気モ−タ１４の基準回転数が負圧の急な上昇或いは降下の際にも始動され得ることが意図されている。
【００１９】
全体的に、公知の先行技術を考慮して実際に生じる状況に実質的に正確に反応する方法或いは装置が明らかになる。
【図面の簡単な説明】
【図１】糸屑吸引装置を概略的に示す。
【図２】図１に図示された装置の方法線図を示す。
【符号の説明】
１．．．．．．精紡機
２．１．．．．上ロ−ラ
２．２．．．．下ロ−ラ
４．．．．．．吸引パイプ
１０．．．．．吸引装置
１２．．．．．送風器
１４．．．．．換気モ−タ
１６．．．．．濾過箱
１８．．．．．濾過板
２０．．．．．制御装置
２２．．．．．センサ−
２４．．．．．信号装置
Ｓ．．．．．．基準負圧
Ｕ，Ｕ’．．．負圧
Ｆ．．．．．．矢印
【図１】
0004377113.tif 000002
【図２】
0004377113.tif 000003